(57)【要約】
【課題】  本考案は、シート体に設けられたマグネットの磁気が皮膚、筋肉、神経系統に適度の刺激を与えることにより毛細血管の血行を活発化して新陳代謝を促進し、脂肪を燃焼させて劣化物等を表面に浮き上がらせることにより美容液が毛穴から肌に効果的に浸透させることができるスキンケアシートを提供する。
【解決手段】  スキンケアシート１０としてのフェイスマスク１２のシート体１４は美容液が十分含浸された第１シート体片１４Ａと第２シート体片１４Ｂを重ね合わせて形成されている。前記シート体１４には目対応開口部２０，２０と、口対応開口部２２が貫通形成され、さらに鼻対応スリット２４が形成されている。前記第１シート体片１４Ａと第２シート体片１４Ｂの間にはゴムマグネット２６が間隔を設けて複数接着されて配設されている。
【選択図】  図１
0003101446.tif 000002
【実用新案登録請求の範囲】
【請求項１】
肌に接触させて使用されると共に美容液が含浸された第１シート体片と第２シート体片を重ね合わせて形成されたシート体と、前記第１シート体片と第２シート体片の間に固定して配設された複数のマグネットと、を有してなることを特徴とするスキンケアシート。
【請求項２】
肌に接触させて使用されると共に美容液が含浸されたシート体と、このシート体の裏面に固定して配設された複数のマグネットと、を有してなることを特徴とするスキンケアシート。
【請求項３】
肌に接触させて使用されると共に美容液が含浸された第１シート体片と第２シート体片を重ね合わせて形成されたシート体と、このシート体に貫通形成された目対応開口部，口対応開口部，鼻対応スリットと、前記第１シート体片と第２シート体片の間に配設されると共に前記第１シート体片と第２シート体片に接着された複数のマグネットと、を有してなることを特徴とするスキンケアシート。
【請求項４】
肌に接触させた状態で使用されると共に美容液が含浸されたシート体と、このシート体に貫通形成された目対応開口部，口対応開口部，鼻対応スリットと、前記シート体の少なくとも裏面に間隔をおいて接着された複数のマグネットと、を有してなることを特徴とするスキンケアシート。
【請求項５】
前記マグネットを磁束密度が１５ｍＴから２１ｍＴ内のゴムマグネットにしたことを特徴とする請求項１記載、請求項２記載、請求項３記載、請求項４記載のスキンケアシート。
【考案の詳細な説明】
【技術分野】
【０００１】
本考案は、顔面や首等にのせて顔や首等の肌をケアするスキンケアシートに関する。
【背景技術】
【０００２】
従来より顔や首等にのせて顔や首等の肌をケアするフェイスマスク等のスキンケアシートが広く知られている。
このスキンケアシートはスキンケアシートを構成するシート自体に予め浸み込まされた美容液の成分が自然に毛穴から肌に浸透することにより肌のケアを行っている。
このため、従来のスキンケアシートではシート自体に浸み込まされた美容液の成分が自然に毛穴から肌の中に浸透することにより肌のケアを行うだけの効果しか期待することができない。
【考案の開示】
【考案が解決しようとする課題】
【０００３】
本考案は、上記事実に鑑みなされたものでありシート体に設けられたマグネットの磁気が皮膚、筋肉、神経系統に適度の刺激を与えることにより毛細血管の血行を活発化して新陳代謝を促進し、脂肪を燃焼させて劣化物等を表面に浮き上がらせることにより美容液が毛穴から肌に効果的に浸透させることができるスキンケアシートを提供するものである。
【課題を解決するための手段】
【０００４】
請求項１の考案は、肌に接触させて使用されると共に美容液が含浸された第１シート体片と第２シート体片を重ね合わせて形成されたシート体と、前記第１シート体片と第２シート体片の間に固定して配設された複数のマグネットと、を有してなることを特徴としている。
請求項２の考案は、肌に接触させて使用されると共に美容液が含浸されたシート体と、このシート体の裏面に固定して配設された複数のマグネットと、を有してなることを特徴としている。
請求項３の考案は、肌に接触させて使用されると共に美容液が含浸された第１シート体片と第２シート体片を重ね合わせて形成されたシート体と、このシート体に貫通形成された目対応開口部，口対応開口部，鼻対応スリットと、前記第１シート体片と第２シート体片の間に配設されると共に前記第１シート体片と第２シート体片に接着された複数のマグネットと、を有してなることを特徴としている。
請求項４の考案は、肌に接触させた状態で使用されると共に美容液が含浸されたシート体と、このシート体に貫通形成された目対応開口部，口対応開口部，鼻対応スリットと、前記シート体の少なくとも裏面に間隔をおいて接着された複数のマグネットと、を有してなることを特徴としている。
請求項５の考案は、前記マグネットを磁束密度が１５ｍＴから２１ｍＴ内のゴムマグネットにしたことを特徴としている。
【考案の効果】
【０００５】
本考案のスキンケアシートは、シート体に設けられたマグネットの磁気が皮膚、筋肉、神経系統に適度の刺激して毛細血管の血行を活発化して新陳代謝を促進し、脂肪を燃焼させて劣化物等を表面に浮き上がらせることにより美容液の成分吸収を効率よく行わせることにより確実に肌のケアを行うことができるという優れた効果を有する。
【考案を実施するための最良の形態】
【０００６】
考案を実施するために最良の形態の例として以下のような実施例を示す。
【実施例１】
【０００７】
図１〜図３には本考案のスキンケアシートの第１実施例が示されている。この第１実施例ではスキンケアシートを顔にのせて顔の肌をケアするフェイスマスクに適用した場合を例にして説明する。
図１に示されるように、スキンケアシート１０としてのフェイスマスク１２のシート体１４は正面視円形状に形成されて人の顔の形状に対応するようになっている。
図２に示されるように、このシート体１４は正面視円形状に形成された第１シート体片１４Ａと第２シート体片１４Ｂを重ね合わせて形成されている。この実施例ではこの第１シート体片１４Ａと第２シート体片１４Ｂは薄いセルロース系不織布をカットして形成されている。
また、前記第１シート体片１４Ａ及び第２シート体片１４Ｂには美容液（各種化粧水やクリーム乳液やパック用化粧液や集中保湿剤や角質ピーリング剤等）が予め十分含浸されている。
図１に示されるように、前記シート体１４には目対応開口部２０，２０と、口対応開口部２２が貫通形成され、さらに鼻対応スリット２４が形成されている。図３に示されるように、これら目対応開口部２０，２０、口対応開口部２２、鼻対応スリット２４はフェイスマスク１０を使用する場合にそれぞれ顔の目、口、鼻に対応した状態で顔面に使用されるようになっている。
図１及び図２に示されるように、前記第１シート体片１４Ａと第２シート体片１４Ｂの間にはマグネットとしての円板状のゴムマグネット（ゴム磁石）２６が間隔を設けて複数配設され、これらゴムマグネット２６は前記第１シート体片１４Ａと第２シート体片１４Ｂにそれぞれ接着剤で接着されている。なお、このゴムマグネット２６は表面がオフレィン樹脂やＰＥＴ樹脂で覆われており、磁束密度は１７ｍＴ（ミリテスラ）のものが使用されている。
図１に示されるように、前記ゴムマグネット２６はシート体１４の目対応目開口部２０，２０の外側に２個づつ設けられると共に口対応開口部２２の外側に１個づつ設けられている。
【０００８】
前記フェイスマスク１２を使用して顔の肌をケアする場合について説明する。
図３に示されるように、このフェイスマスク１２を使用する場合は目対応開口部２０，２０を目に対応させ、口対応開口部２２を口に対応させ、鼻対応スリット２４を鼻に対応させた状態でフェイスマスク１２を顔にのせる。
すると、シート体１４の第１シート体片１４Ａと第２シート体片１４Ｂの間に設けられた複数のゴムマグネット２６から発生した磁気が顔の皮膚、筋肉、神経系統に適度の刺激を与える。これにより毛細血管の血行が活発化して新陳代謝が促進され、脂肪が燃焼されて劣化物等を肌の表面に浮き上がらせる。
従って、第１シート体片１４Ａ及び第２シート体片１４Ｂに予め十分含浸されている美容液の成分が毛穴から効率よく肌に吸収されることになる。
この結果、前記第１シート体片１４Ａ及び第２シート体片１４Ｂに含浸されている美容液の成分が効率よく確実に肌に吸収されるので、肌に吸収された美容液の成分により肌のケアを一層効果的に行うことができる。
なお、前記ゴムマグネット２６が肌に当接しても前記ゴムマグネット２６は表面がオフレィン樹脂やＰＥＴ樹脂で覆われており、しかも磁束密度は１７ｍＴであるのでゴムマグネット２６によって肌が炎症を起こしたり、カブレ、カユミ等が発生する等のトラブルを確実に未然に防止することができる。
【０００９】
なお、実際に美容液として集中保湿剤（コーセーコスメポート（株）製の商品名「クリアターン」）を本考案のスキンケアシート１０に含浸させて本考案のスキンケアシート１０を使用したところ本考案に依りその効果が絶大なものとなった。
また、実際に美容液として角質ピーリング剤（ＭＩＡ企画（株）が販売する商品名「ツルンツルンＭＴＳＰ−０５」）を本考案のスキンケアシート１０に含浸させて本考案のスキンケアシート１０を使用したところ本考案に依りその効果が絶大なものとなった。
【実施例２】
【００１０】
図４には本考案のスキンケアシートの第２実施例が示されている。第２実施例においてもスキンケアシート３０はフェイスマスク３２に適用された場合について説明する。なお、第１実施例のフェイスマスク１２と同一の構成は同一の符号を用いてその説明は省略する。
図４に示されるように、このフェイスマスク３２の下部には首対応部３４が連続して延長して設けられ首に対応できるように形成されている。
この首対応部３４を構成するシート体１４も前記第１シート体片１４Ａと第２シート体片１４Ｂを重ね合わせて形成されている。この第１シート体片１４Ａと第２シート体片１４Ｂの間にはゴムマグネット２６が間隔を設けて左右に２個づつ配設されている。
従って、前記首対応部３４のゴムマグネット２６から発生した磁気が首の皮膚、筋肉、神経系統に適度の刺激を与え、毛細血管の血行が活発化して新陳代謝が促進され、脂肪が燃焼されて劣化物等を表面に浮き上がらせることができるので顔の肌のケアだけでなく、首の肌のケアも行うことができる。
なお、他の構成、作用、効果は第１実施例のフェイスマスク１２と同一であるのでその説明は省略する。
【実施例３】
【００１１】
図５には本考案のスキンケアシートの第３実施例が示されている。第３実施例のスキンケアシート４０は顔全体の肌をケアするものでなく額と鼻筋（いわゆるＴゾーン）の肌をケアするＴゾーンマスク４２に適用した場合について説明する。なお、第１実施例と同一の構成は同一の符号を用いてその説明は省略する。
図５に示されるように、Ｔゾーンマスク４２のシート体１４は左右方向の額対応部４６と上下方向の鼻筋対応部４８とから形成され、正面視Ｔ字形状となっている。このシート体１４は正面視Ｔ字形状にカットされた前記第１シート体片１４Ａと第２シート体片１４Ｂを重ね合わせて形成されている。また、第１シート体片１４Ａと第２シート体片１４Ｂの間にはゴムマグネット２６が間隔をおいて複数個配設されて接着剤で接着されている。
従って、このＴゾーンマスク４２においては顔の額と鼻筋の肌のケアを行うことができるようになっている。
なお、他の構成、作用、効果は第１実施例のフェイスマスク１２と同一であるのでその説明は省略する。
【実施例４】
【００１２】
図６には本考案のスキンケアシートの第４実施例が示されている。第４実施例のスキンケアシート５０は顔全体の肌をケアするものでなく目の下（いわゆるアイゾーン）の肌をケアするアイゾーンマスク５２に適用した場合について説明する。なお、第１実施例と同一の構成は同一の符号を用いてその説明は省略する。
図６に示されるように、アイゾーンマスク５２のシート体１４は正面視略半円形状となっている。このシート体１４は正面視略半円形状にカットされた前記第１シート体片１４Ａと第２シート体片１４Ｂを重ね合わせて形成されている。また、第１シート体片１４Ａと第２シート体片１４Ｂの間にはゴムマグネット２６が間隔をおいて複数個配設されて接着剤で接着されている。
従って、このアイゾーンマスク５２においては目の下の肌のケアを行うことができるようになっている。
なお、他の構成、作用、効果は第１実施例のフェイスマスク１２と同一であるのでその説明は省略する。
【実施例５】
【００１３】
図７には本考案のスキンケアシートの第５実施例が示されている。第５実施例のスキンケアシート６０は主に顔の一部や首や手首や肘等に使用される矩形状のものである。なお、第１実施例と同一の構成は同一の符号を用いてその説明は省略する。
図７に示されるように、スキンケアシート６０のシート体１４は正面視矩形状にカットされた前記第１シート体片１４Ａと第２シート体片１４Ａを重ね合わせて形成されている。また、第１シート体片１４Ａと第２シート体片１４Ｂの間にはゴムマグネット２６が間隔をおいて複数個接着剤で接着されている。
なお、他の構成、作用、効果は第１実施例のスキンケアシート１０と同一であるので、その説明は省略する。
【実施例６】
【００１４】
図８には本考案のスキンケアシートの第６実施例が示されている。この第６実施例のスキンケアシート７０は第１実施例のスキンケアシート１０の変形であり、フェイスマスク７２を形成するシート体１４は第１シート体片１４Ａだけで構成されている。
従って、ゴムマグネット２６は第１シート体片１４Ａの裏面にのみ接着して取り付けられている。このため、フェイスマスク７２を使用する場合は、ゴムマグネット２６は直接肌に密着当接するようになっている。なお、前記ゴムマグネット２６が直接肌に密着当接してもゴムマグネット２６は表面がオフレィン樹脂やＰＥＴ樹脂で覆われており、しかも磁束密度は１７ｍＴであるのでゴムマグネット２６によって肌が炎症を起こしたり、カブレ、カユミ等が発生する等のトラブルを未然に防止することができる。
なお、他の構成、作用、効果は第１実施例のスキンケアシート１０と同一であるので、その説明は省略する。
【実施例７】
【００１５】
図９には本考案のスキンケアシートの第７実施例が示されている。この第７実施例のスキンケアシート８０は第２実施例のスキンケアシート３０の変形であり、フェイスマスク８２を形成するシート体１４は第１シート体片１４Ａだけで構成されている。
従って、ゴムマグネット２６は第１シート体片１４Ａの裏面にのみ接着して取り付けられている。このため、フェイスマスク８２を使用する場合は、ゴムマグネット２６は直接肌に密着当接するようになっている。
なお、他の構成、作用、効果は第１実施例のスキンケアシート１０及び第２実施例のスキンケアシート３０と同一であるので、その説明は省略する。
【実施例８】
【００１６】
図１０には本考案のスキンケアシートの第８実施例が示されている。この第８実施例のスキンケアシート９０は第３実施例のスキンケアシート４０の変形であり、Ｔゾーンマスク９２のシート体１４は第１シート体片１４Ａだけで構成されている。
従って、ゴムマグネット２６は第１シート体片１４Ａの裏面にのみ接着して取り付けられている。このため、Ｔゾーンマスク９２を使用する場合は、ゴムマグネット２６は直接肌に密着当接するようになっている。
なお、他の構成、作用、効果は第１実施例のスキンケアシート１０及び第３実施例のスキンケアシート４０と同一であるので、その説明は省略する。
【実施例９】
【００１７】
図１１には本考案のスキンケアシートの第９実施例が示されている。この第９実施例のスキンケアシート１００は第４実施例のスキンケアシート５０の変形であり、アイゾーンマスク１０２のシート体１４は第１シート体片１４Ａだけで構成されている。
従って、ゴムマグネット２６は第１シート体片１４Ａの裏面にのみ接着して取り付けられている。このため、アイゾーンマスク１０２を使用する場合は、ゴムマグネット２６は直接肌に密着当接するようになっている。
なお、他の構成、作用、効果は第１実施例のスキンケアシート１０及び第４実施例のスキンケアシート５０と同一であるので、その説明は省略する。
【実施例１０】
【００１８】
図１２には本考案のスキンケアシートの第１０実施例が示されている。この第１０実施例のスキンケアシート１１０は第５実施例のスキンケアシート６０の変形であり、シート体１４は第１シート体片１４Ａだけで構成されている。
従って、ゴムマグネット２６は第１シート体片１４Ａの裏面にのみ接着して取り付けられている。このため、スキンケアシート１１０を使用する場合は、ゴムマグネット２６は直接肌に密着当接するようになっている。
なお、他の構成、作用、効果は第１実施例のスキンケアシート１０及び第５実施例のスキンケアシート６０と同一であるので、その説明は省略する。
【００１９】
なお、実施例ではマグネットとしてゴムマグネット２６を使用したが、マグネットであれば必ずしもゴムマグネットに限定されるものでないことは勿論である。
また、実施例では磁束密度が１７ｍＴのゴムマグネット２６を使用したが、ゴムマグネット２６の磁束密度は１７ｍＴに限定されるものでないが肌に密着状態となっても肌に悪影響を及ぼさないでしかも美容効果があるように磁束密度が１５ｍＴ〜２１ｍＴ以内のマグネットが好ましい。
なお、実施例では円板状のゴムマグネット２６を使用したが、ゴムマグネット２６の形状は円板状に限定されるものでなく、また使用されるゴムマグネット２６の数も実施例に限定されるものでないことは勿論である。
また、実施例ではシート体１４を構成する第１シート体片１４Ａ，第２シート体片１４Ｂをセルロース不織布で形成したが美容液が含侵し易い素材であれば紙や、レーヨン系不織布、パルプ混系不織布、植物系布地、発泡体シート等他の材料でもよいことは勿論である。
なお、実施例ではシート体１４を構成する第１シート体片１４Ａ，第２シート体片１４Ｂに含浸させる美容液の例として化粧水やクリーム乳液やパック用化粧液や集中保湿剤や角質ピーリング剤等を示したが、美容液はこれらに限定されないことは勿論である。
【図面の簡単な説明】
【００２０】
【図１】第１実施例のスキンケアシートの正面図である。
【図２】第１実施例のスキンケアシートの一部拡大縦断面図である。
【図３】第１実施例のスキンケアシートの使用状態図である。
【図４】第２実施例のスキンケアシートの正面図である。
【図５】第３実施例のスキンケアシートの正面図である。
【図６】第４実施例のスキンケアシートの正面図である。
【図７】第５実施例のスキンケアシートの正面図である。
【図８】第６実施例のスキンケアシートの正面図である。
【図９】第７実施例のスキンケアシートの正面図である。
【図１０】第８実施例のスキンケアシートの正面図である。
【図１１】第９実施例のスキンケアシートの正面図である。
【図１２】第１０実施例のスキンケアシートの正面図である。
【符号の説明】
【００２１】
１０    スキンケアシート
１２    フェイスマスク
１４    シート体
１４Ａ  第１シート体片
１４Ｂ  第２シート体片
２６    ゴムマグネット
【図１】
0003101446.tif 000003
【図２】
0003101446.tif 000004
【図３】
0003101446.tif 000005
【図４】
0003101446.tif 000006
【図５】
0003101446.tif 000007
【図６】
0003101446.tif 000008
【図７】
0003101446.tif 000009
【図８】
0003101446.tif 000010
【図９】
0003101446.tif 000011
【図１０】
0003101446.tif 000012
【図１１】
0003101446.tif 000013
【図１２】
0003101446.tif 000014